(57)【要約】【課題】イベント会場で実施されるアンケートは、アンケート用紙ごとに個人情報の入力をしなければならず、参加者にとって煩わしい。また、アンケート用紙には個人情報が記載されているため、取り扱いには厳重な注意が必要であり、アンケート用紙を紛失してしまうと個人情報が漏洩してしまう問題性があった。【解決手段】非接触で書き換え可能なICタグに個人情報を格納する。本発明では、IC情報処理装置14が備えるIC情報読み取り機能141によりパス12に埋め込まれたICタグ121の情報を読み込み、情報書き込み機能142により紙媒体13に埋め込まれたICタグ131に書き込む。この仕組みにより、安全かつ確実に参加者からの個人情報をICタグ131に格納でき、アンケート回答における手間を省き、個人情報漏洩のリスクを軽減させることができる。【選択図】図１
2009116481.tif 000002
【特許請求の範囲】
【請求項１】
事前に参加者の個人情報が特定できているイベントにおいて、個人情報欄を記載する必要のある紙媒体を回収する際に、記入者の個人情報を書き込まずに紙媒体を回収できる個人情報の回収・管理システム。
【請求項２】
請求項１の個人情報管理システムでは、RFIDなどの非接触で書き換え可能なICタグに個人情報を格納し、ICタグはイベント会場の入場パスと紙媒体に埋め込み、入場パスにのみ個人情報と紐付けた情報を格納し、入場パスに格納した情報は、紙媒体を回収する際に紙媒体のICタグに書き込むことで紙媒体に個人情報と紐付けた情報を格納する個人情報の回収・管理システム。
【請求項３】
請求項１の個人情報管理システムでは、紙媒体の回収時に個人情報と紐付けた情報を格納するため、紙媒体が破損してしまっても速やかに代替となる紙媒体を使用でき、これにより、紙媒体を回収するまでは個人情報の管理をする負担がない個人情報の回収・管理システム。
【請求項４】
請求項１の個人情報管理システムでは、セミナー会場でのアンケート用紙の回収や試験会場での答案用紙の回収などに利用できる個人情報の回収・管理システム。
【請求項５】
請求項１の個人情報管理システムでは、個人情報に紐づいたID情報を印刷することで、目視で個人情報の入力状態を確認することも可能であり、用途に応じた情報表示ができる個人情報の回収・管理システム。
【発明の詳細な説明】
【技術分野】
【０００１】
本発明は、紙媒体における個人情報を回収・管理する手段に関するものである。
【背景技術】
【０００２】
セミナーや展示会では、当日の入退場をスムーズにするために展示会の公式ホームページより事前登録を行い、参加手続きを済ませられることが一般的となっている。
【０００３】
来場者が円滑に入場できる仕組みとして、RFID（Radio Frequency Identification）などのIC（Integrated Circuit）を利用した非接触による情報通信システムが、操作上の手軽さから注目されている。
【０００４】
このような情報通信システムでは、ICカード利用者がICカードをカード読み書き装置にかざすことで通信は行なわれている。
【０００５】
また、セミナーや展示会では、マーケティングへの活用や参加者の反応を見るためにアンケートを実施することがよくある。アンケートは、アンケート用紙による回答が一般的だが、アンケート回答入力用のコンピュータ端末を用意して、端末上で回答してもらう回答方法も増えてきている。
【０００６】
アンケートには、主催者がセミナー全体に対してアンケートを実施するものもあれば、セミナーの出展者が個別に実施するアンケートなど、１つのセミナーで複数のアンケートが実施されることも多い。
【０００７】
マーケティングへの活用の応用例として、ICカードに参加者の行動履歴を情報として書き込んで、滞在時間や訪れた展示ブースなどを把握できる特開２００６−９９７８６のようなアイデアも出てきている。
【０００８】
【特許文献１】特開２００６−９９７８６号公報
【発明の開示】
【発明が解決しようとする課題】
【０００９】
上記の従来技術では、個人情報の入力をアンケート用紙ごとに回答しなければならず、イベントの参加者にとって煩わしい作業を強いられていた。
【００１０】
また、パソコンなどの情報機器端末を用いたアンケート回答では、アンケート用紙による回答に比べて場所と時間が制限されてしまう。また、機器操作に慣れていない参加者にはアンケート回答が不便となってしまい、利便性が損なわれている。
【００１１】
イベント参加者がアンケートに記載する個人情報は記入者の裁量に任されているため、アンケート用紙に記載されている個人情報の情報量が不十分な場合もあり、アンケート回収者がアンケートを集計する際に、正しい個人情報が得られない場合がある。
【００１２】
アンケート用紙ごとに個人情報を書くのを避けるために、イベント参加者が名刺を添付してアンケート用紙を提出する場合もあるが、アンケート回答のたびに名刺を提出しなければならない。また、アンケート回収者がそのアンケート用紙を回収する際に、名刺とアンケート用紙の個人情報を紐付けしなければならないため、混雑するアンケート回収時に余分な作業が増えてしまう。
【００１３】
紙媒体に個人情報を記載するアンケートでは、アンケート用紙自体に個人情報が記載されてしまうので、アンケート用紙紛失によって個人情報が漏洩してしまう危険性がある。
【００１４】
本発明の目的は、上記に上げた課題を解決するために、個人情報が記載された紙媒体に対して、記入者と回収者の負担を軽減し個人情報漏洩のリスクを下げる管理方法を提供することである。
【課題を解決するための手段】
【００１５】
上記目的を達成するため、RFIDなどの非接触で書き換え可能なICタグを利用した個人情報の管理方法を提供する。この管理方法により、紙媒体への個人情報の記入を無くすことで、個人情報の記入漏れと漏洩を無くし、安全に個人情報を管理することが可能となる。
【００１６】
本発明により、紙媒体が備えるICタグに書き込まれた情報の管理は紙媒体の回収時まで必要ないため、紙媒体によるアンケート回収作業にかかる手間が従来と比べて増えることはない。また、名刺とアンケート用紙の紐付けなど、個人情報の扱いに関して、その場で対応しなければならない作業が発生しない。
【００１７】
本発明ではアンケート用紙や答案用紙といった紙媒体にも適用できる。そのため、パソコンなどの情報機器端末では、表現が難しい図や表が記載された紙媒体への回収にも適用できる。
【００１８】
紙媒体に個人情報が認識できる情報を印字することで目視による確認を可能とし、回収用途による使い分けを可能とし、柔軟な紙媒体の回収方法を提供できる。
【発明の効果】
【００１９】
本発明では、ICタグを利用した個人情報の管理方法を提供することで、紙媒体の回収作業の利便性を向上させ、個人情報漏洩のリスクを減らすことができる。この結果、個人情報が記載された紙媒体における記入者と回収者双方の負担を軽減して、安全に個人情報を管理できる。
【発明を実施するための最良の形態】
【００２０】
以下、本発明の実施例を図面に基づいて詳細に説明する。
【００２１】
図１は、本発明の全体構成を示すものである。全体構成としては、イベントが開催されるイベント会場10、イベント開催元のイベント事務局20、イベント事務局20にイベント参加を申し込むための外部端末42があり、ネットワーク41で接続されている。ただし、イベント会場10でネットワーク41と接続するのは参加者の入場受付を行うイベント受付31だけで良く、イベント会場10に複数設置される紙媒体回収システム11はネットワーク41に接続する必要はない。
【００２２】
イベント会場10にはイベント受付31と紙媒体回収システム11がある。イベント受付31にはＰＣ32が置かれ、ＰＣ32は通常のコンピュータが備えるＣＰＵ33、メモリ34、ディスプレイ35で構成されており、コンピュータの処理結果を出力する出力装置36がある。また、ＰＣ32はネットワーク41により個人情報DB24と接続されている。メモリ34には、イベント事務局20の個人情報ＤＢ24を参照するためのプログラムである管理システム342が記憶されており、ＣＰＵ33を使用して動作する。イベント受付31は、個人情報DB24に格納されたイベント参加者の個人情報と紐付いた情報を管理システム342で確認して、ICタグ121を備えるパス12を配布する。
【００２３】
紙媒体回収システム11にはパス12、紙媒体13、IC情報処理装置14がある。パス12はパス12に埋め込まれたICタグ121を備える。紙媒体13は紙媒体13に埋め込まれたICタグ131を備える。IC情報処理装置14は、情報読み取り機能141、情報書き込み機能142、情報出力機能143を備える。紙媒体回収システム11は、情報書き込み機能142によりICタグ121の情報を読み込んで、情報書き込み機能142によりICタグ131に書き込む。また、紙媒体回収システム11の処理結果は情報出力機能143により行われる。
【００２４】
イベント事務局20には、紙媒体回収システム11と同様にパス12、紙媒体13が置かれ、その他にIC情報処理装置27、ＰＣ21が置かれている。IC情報処理装置27には、情報読み取り機能271、情報書き込み機能272を備える。ＰＣ21は通常のコンピュータが備えるＣＰＵ22、メモリ23、個人情報DB24、ディスプレイ25で構成されており、コンピュータの処理結果を出力する出力装置26がある。メモリ23には、ネットワーク41を経由して外部端末42より申し込まれるイベント参加希望者からの参加申し込みを受け付けるプログラムである予約システム231、情報読み取り機能271と情報書き込み機能272によりICタグ121の情報を管理するためのプログラムである管理システム232、ICタグ131に格納された個人情報をイベント事務局20に集めるためのプログラムである回収システム233が記憶されており，ＣＰＵ22を使用して動作する。
【００２５】
ＰＣ21が備える予約システム231、管理システム232、回収システム233により処理した情報は、個人情報DB24に格納される。そして、ICタグ121とICタグ131には、個人情報DB24が発行する個人情報と紐付いた情報を保持する。
【００２６】
図２は、イベント参加者の個人情報を管理する個人情報DB24に格納する個人情報テーブル212である。ここには、イベント参加者を受け付けた番号を格納する受付番号2121、イベント参加者を識別するための個人識別ID2122、イベント参加者の固有名称を登録する名前2124、団体名2125、所属2126、役職2127、郵便番号2128、住所2129、連絡先2130、連絡先（携帯）2131、メールアドレス2132があり、それぞれ情報が格納されている。なお、受付番号2121と個人識別ID2122は、予約システム231により一意となる値が登録される。
【００２７】
図３は、イベント参加者の行動履歴情報を管理する個人情報DB24に格納する行動履歴情報テーブル214である。ここには、イベント参加者を受け付けた番号を格納する個人識別ID 2141、紙媒体の回収状況を表す回収フラグ2142、イベント内での訪問場所や滞在時間などの参加者の行動履歴を格納する行動履歴情報2143が格納されている。個人識別ID 2141には個人識別ID2122と同一の値が格納される。なお、行動履歴情報2143は、ICタグの記憶容量状況やイベントの趣旨により取得する情報種別は任意で設定する。
【００２８】
図４は、パス12に埋め込まれたICタグ121に格納する個人情報テーブル122である。ここには、個人情報DB24で登録した受付番号2121、個人識別ID2122と同一の値を格納する受付番号1221と個人識別ID1222、紙媒体への回答状況を格納した回答フラグ1223、イベント内での訪問場所や滞在時間などの参加者の行動履歴を格納する行動履歴情報1224が格納されている。なお、行動履歴情報1224は、ICタグの記憶容量状況やイベントの趣旨により取得する情報種別は任意で設定する。
【００２９】
図５は、紙媒体13に埋め込まれたICタグ131に格納する個人情報テーブル132である。ここには、複数のアンケートが存在した場合にアンケートを一意にするための設問種別ID1321、個人情報DB24で登録した受付番号2121、個人識別ID2122と同一の値を格納する受付番号1322と個人識別ID1323、イベント内での訪問場所、滞在時間、参加イベントなどの参加者の行動履歴を格納する行動履歴情報1324が格納されている。なお、行動履歴情報1324は、ICタグの記憶容量状況やイベントの趣旨により取得する情報種別は任意で設定する。なお、ＩＣタグ121とＩＣタグ131は同じタイプのものである必要はなく、ＩＣタグ121は通信距離が比較的長く記憶容量も比較的大きいタイプのものを、ＩＣタグ131は通信距離が短く記憶容量が小さくても紙媒体と一体化できるタイプのものをそれぞれ使用することが出来る。
【００３０】
図６は、イベント事務局20が備えるＰＣ21で実行する予約システム231により、イベント参加希望者から参加登録を受け付ける一連の流れをフロー図によって表したものである。予約システム231は申し込み画面を提供し(2201)、参加希望者が入力した情報に不正な入力が存在しないかを判定し(2202)、入力情報の妥当性を検証する(2203)。不正入力がなかった場合は、個人情報DB24に登録する参加者の受付番号2121と個人識別ID2122を発行する(2204)。入力が不正だった場合、警告メッセージを表示して申し込み画面に戻る(2208)。発行された情報は、個人情報DB24の個人情報テーブル212にイベント参加希望者の個人情報と共に格納し(2205)、申し込み完了の通知を参加者に対して行い(2206)、受付番号2121が印字されたイベント参加者用の入場パスとの引換券38を発行して終了する(2207)。予約システム231は、一般的な予約システムと同様のものであり、詳細は省略する。
【００３１】
図７は、イベント事務局20が備えるＰＣ21で実行する管理システム232と、IC情報処理装置27が備える情報書き込み機能272によりパス12に埋め込まれたICタグ121に情報を書き込む一連の流れをフロー図によって表したものである。管理システム232は個人情報DB24の個人情報テーブル212を参照し(2301)、参加希望者の受付番号2121と個人識別ID2122の情報を取得して(2302)、IC情報処理装置27が備える情報書き込み機能272によって、パス12のICタグ121に情報を書き込む（2303）。イベント受付31でイベント参加者が持参する引換券38の受付番号2121から該当のパス12を目視で判別できるように、受付番号2121をパス12などに印字する(2304)。
【００３２】
図８は、イベント受付31でパス12を配布するための一連の流れをフロー図によって表したものである。受付31は、参加者から、運転免許証などの身分を証明できるもの提出してもらい個人情報の確認を行う(2401)。受付31は引換券38の有無を確認する(2402)。引換券38があればそれを回収し、引換券38に記載された受付番号2121より、個人情報DB24の情報と照合し、提示してもらった身分証明情報と正しいかを確認する(2403)。引換券38を参加者が持っていない場合は、身分証明情報から個人情報DB24の名前2124やメールアドレス2132などの情報を参照して(2404)、参加者の身分が正しいことを確認する(2405)。個人情報DB24との照合の結果、参加者が特定されればイベント事務局21で作成した該当のパス12を参加者に配布する(2406)。
【００３３】
図１９は、IC情報処理装置14の機能を備えたICリーダ/ライタ82を設置した展示設備81のイメージ図である。展示設備81はイベント参加者の個人情報の取得及び行動履歴情報の記録と更新を目的とし、ICリーダ/ライタ82によりパス12に埋め込まれたICタグ121の行動履歴情報1224を更新する。展示だけを目的としたイベント出展者でも展示設備81により、イベント終了後にイベント事務局20の回収システム233を利用してイベント参加者の個人情報を取得できる。
【００３４】
図２０は、設備81におけるパス12に埋め込まれたICタグ121の情報を更新する動作の一連の流れをフロー図に表したものである。ICリーダ/ライタ82は、ICタグ121が備える個人情報テーブル122の行動履歴情報1224の情報を取得する(1501)。行動履歴情報1224にすでに書き込みがあるかを判断し(1502)、すでに書き込みがある行動履歴情報1224に対して情報の更新が必要であるかを判定する(1503)、情報の更新が必要な場合は、行動履歴情報1224に情報を書き込む(1504)。
【００３５】
図９は、紙媒体回収システム11が動作する回収装置51をイメージした図である。回収装置51は、IC情報処理装置14の機能を備えたICリーダ/ライタ52とIC情報処理装置14の機能を備えた回収口53がある。回収口53は紙媒体13を回収するための口である。通常は図面左のように口が閉じており、紙媒体13を回収する際に図面右のように口が開く。また、最終的な出口に回収装置51を設置することでパス12の回収も実施することが可能である。回収装置51による紙媒体13の回収は、回収口53に紙媒体13をセットし、ICリーダ/ライタ52にパス12をかざすことで、ICタグ121の情報を更新するとともに、ICタグ121の情報をICタグ131に書き込み、回収口53より紙媒体13を回収する。パス12の回収は、イベント会場の最終的な出口に設置された回収口53にパス12を置くことで回収を行う。
【００３６】
図１０は、紙媒体回収システム11を備えた回収装置51による紙媒体回収の実施例である。イベント会場10の出入り口などの紙媒体13を回収したい場所に回収装置51を設置しておく。参加者は回収装置51を利用して紙媒体13の提出を行う。
【００３７】
図１１は、紙媒体回収システム11を備えた回収装置51での参加者による動作の一連の流れをフロー図に表したものである。参加者は回収口53に紙媒体13をセットする(1101)。紙媒体13をセットした状態で、パス12をICリーダ/ライタ52にかざす(1102)。この動作により、パス12に埋め込まれたICタグ121の情報が更新されるとともに、紙媒体13に埋め込まれたICタグ131へICタグ121の情報が書き込まれ、紙媒体13が回収口53により回収される(1103)。回収終了後には、回収装置51から、正しく回収された通知を確認する(1104)。エラー通知が出て、回収されない場合は紙媒体13を正しい場所にセットする(1105)。
【００３８】
図１２は、紙媒体回収システム11を備えた回収装置51による動作の一連の流れをフロー図に表したものである。回収口53から参加者がかざしたパス12に埋め込まれたICタグ121の情報を読み取り(1201)、IC情報処理装置14の情報読み取り機能141からICタグ121の情報を読み取り、情報書き込み機能142により読み取ったICタグ121の情報を媒体13に埋め込まれたICタグ131に書き込む(1202)。ICタグ131への書き込みが成功したかどうかを判定し(1203)、書き込みに成功していれば、回答フラグ1233の情報を更新し(1204)、紙媒体13を回収口53から回収し(1205)、回収が成功したことを通知する(1206)。書き込みに失敗している場合は、警告通知を行って参加者に正しい回収手順をするように促す(1207)。
【００３９】
図１３は、イベント事務局20のＰＣ21が備える回収システム233により、紙媒体13の回収における動作の一連の流れをフロー図に表したものである。紙媒体13に埋め込まれたICタグ131に書き込まれた個人識別ID 1323から、個人DB24の個人情報テーブル212が備える個人識別ID2122を参照して(1501)、該当する個人情報を取得する(1502)。そしてICタグ131の行動履歴情報1334を個人情報テーブル214の行動履歴情報2143に書き込み、回収フラグ2142を更新する(1503)。個人DB24への情報の書き込みが済んだら、回収した紙媒体131に回収が終了したことを目視できる情報を印字する(1504)。また同様の手順により、パス12に埋め込まれたＩＣタグ121の行動履歴1224も取得が可能である。
【００４０】
図１８は、IC情報処理装置14の機能と情報表示部分72を備えた携帯型のICリーダ/ライタ71のイメージ図である。ICリーダ/ライタ71は持ち運びができるため、任意の場所で参加者のパス12に埋め込まれたICタグ121の情報や、紙媒体13に埋め込まれたICタグ131の情報を参照し更新することができる。また、情報表示部分72によって、ICリーダ/ライタ71で読み込んだ参加者の個人情報を確認し検証できる。検証の実施例として、参加者の行動履歴情報1224を読み取って、アンケート回答の有無からノベルティ配布対象者をその場で判別できる。また、試験会場で印字装置61により印字された答案用紙である紙媒体13の情報と、紙媒体13のICタグ131から読み取った情報を突き合わせて、正しい個人情報であることを確認できる。
【００４１】
図１４は、イベント会場10におけるIC情報処理装置14の情報出力機能143を備えた印字装置61のイメージ図である。印字装置61は、IC情報処理装置14の機能を備えたICリーダ/ライタ62とつながっており、図面左のようにICリーダ/ライタ62と印字装置61が分離したものもあれば、図面右のようにICリーダ/ライタ62と印字装置61が一体となっているものもある。印字装置61では、ICリーダ/ライタ62の情報読み取り機能141によって読み込んだパス12に埋め込まれたICタグ121の情報を紙媒体13に印字する。印字装置61に紙媒体13をセットし、ICリーダ/ライタ62にパス12をかざすことで印字を実行する。
【００４２】
図１５は、印字装置61を利用した紙媒体13への印字の実施例である。試験の答案用紙など、紙媒体自体に記載された内容が非常に重要である場合は、持ち主自身が紙媒体13に埋め込まれたICタグ131が持つ個人情報を確認できるように、印字装置61を活用する。参加者は紙媒体13を提出する前に、印字装置61を利用して紙媒体13への印字を行う。
【００４３】
図１６は、印字装置61を利用した紙媒体印字における参加者による動作の一連の流れをフロー図に表したものである。参加者は印字装置61に紙媒体13をセットする(1301)。紙媒体13をセットした状態で、パス12をICリーダ/ライタ62にかざす(1302)。この動作により、パス12に埋め込まれたICタグ121が備える個人情報テーブル122の受付番号1221を紙媒体13に印字する(1303)。印字終了後には、印字装置61から紙媒体13へ印字された状態から印字の成功を確認する(1304)。エラー通知が出て印字されない場合は、紙媒体13を印字装置61の正しい場所にセットしなおす(1305)。
【００４４】
図１７は、印字装置61による動作の一連の流れをフロー図に表したものである。IC情報処理装置14の機能を備えたICリーダ/ライタ62により、参加者がかざしたパス12に埋め込まれたICタグ121の情報を読み取り(1401)、紙媒体13にICタグ121が備える個人情報テーブル122の受付番号1221を紙媒体13に印字する(1402)。紙媒体13への印字が成功したかどうかを判定し(1403)、印字に成功すれば、紙媒体13を排紙する(1404)。印字に失敗した場合は、エラー通知を行い印字装置に正しく紙媒体をセットするよう促す(1205)。
【図面の簡単な説明】
【００４５】
【図１】本発明の概要を示す全体構成図である。
【図２】事務局20のＰＣ21が管理する個人情報DB24のイベント参加者の個人情報に関する詳細を示すテーブル212である。
【図３】事務局20のＰＣ21が管理する個人情報DB24のイベント参加者の行動履歴情報に関する詳細を示すテーブル212である。
【図４】事務局20のパス12が管理する個人情報DB24の詳細を示すテーブル212である。
【図５】事務局20の用紙13に埋め込まれたICタグ131の詳細を示すテーブル132である。
【図６】事務局20のＰＣ21が管理する予約システム231の参加予約を行う一連の流れをフロー図で表したものである。
【図７】事務局20のＰＣ21が管理する管理システム232とIC情報処理装置27によるパス12のICタグ121に情報を書き込む一連の流れをフロー図で表したものである。
【図８】受付31におけるパス12を配布するための一連の流れをフロー図で表したものである。
【図９】用紙13を回収するための装置51のイメージを表したものである。
【図１０】用紙13を回収するための装置51を使用した実施例を表したものである。
【図１１】紙媒体回収システム11における用紙13とパス12の情報を紐付けするための参加者による一連の流れをフロー図で表したものである。
【図１２】紙媒体回収システム11における用紙13とパス12の情報を紐付けするための情報処理装置25における一連の流れをフロー図で表したものである。
【図１３】事務局20のＰＣ21が管理する回収システム233の用紙13の回収における一連の流れをフロー図で表したものである。
【図１４】紙媒体13を印字するための装置61のイメージを表したものである。
【図１５】用紙13を印字するための装置61を使用した実施例を表したものである。
【図１６】個人情報管理/印字システム15における用紙13とパス12の情報を紐付けするための参加者による一連の流れをフロー図で表したものである。
【図１７】個人情報管理/印字システム15における用紙13とパス12の情報を紐付けするための情報処理装置25における一連の流れをフロー図で表したものである。
【図１８】自ら読み取りが可能なIC情報読み取り装置71のイメージを表したものである。
【図１９】IC情報読み取り装置14を配置する装置81のイメージを表したものである。
【図２０】IC情報読み取り装置14および71によりパス12のICタグ情報121の情報を書き換える一連の流れを表したものである。
【符号の説明】
【００４６】
10…イベント会場、11…紙媒体回収システム、12…パス、13…紙媒体、14…IC情報処理装置、20…イベント事務局、21…サーバ、22…ＣＰＵ、23…メモリ、24…個人情報DB、25…ディスプレイ、26…出力装置、27…IC情報処理装置、31…イベント受付、32…サーバ、33…ＣＰＵ、34…メモリ、35…ディスプレイ、36…出力装置、38…引換券、41…ネットワーク、42…外部端末、121…ICタグ、131…ICタグ、141…情報読み込み機能、142…情報書き込み機能、143…情報出力機能、231…予約システム、232…管理システム、233…回収システム、271…情報書き込み機能、272…情報出力機能、342…管理システム。
【図１】
2009116481.tif 000003
【図２】
2009116481.tif 000004
【図３】
2009116481.tif 000005
【図４】
2009116481.tif 000006
【図５】
2009116481.tif 000007
【図６】
2009116481.tif 000008
【図７】
2009116481.tif 000009
【図８】
2009116481.tif 000010
【図９】
2009116481.tif 000011
【図１０】
2009116481.tif 000012
【図１１】
2009116481.tif 000013
【図１２】
2009116481.tif 000014
【図１３】
2009116481.tif 000015
【図１４】
2009116481.tif 000016
【図１５】
2009116481.tif 000017
【図１６】
2009116481.tif 000018
【図１７】
2009116481.tif 000019
【図１８】
2009116481.tif 000020
【図１９】
2009116481.tif 000021
【図２０】
2009116481.tif 000022